(57)【要約】【課題】  少なくとも１の画像を含む電子メールを端末において表示した際に、ディスプレイと表示される画像の比率が、電子メールの送信側端末と受信側端末間で同じ比率に保たれるようにする。【解決手段】  電子メールデータを表示するディスプレイを有する移動通信端末５０Ａ、５０Ｂは各々、自機の表示部５２が有する表示領域のサイズを示すディスプレイサイズ情報Ａ、Ｂを記憶部５４に記憶している。移動通信端末５０Ａは、自機の表示部５２に表示された電子メールデータを移動通信端末５０Ｂに対して送信する際に、ディスプレイサイズ情報Ａを電子メールデータに含めて送信する。移動通信端末５０Ｂは、受信したディスプレイサイズ情報Ａと自機の記憶部５４から読み出したディスプレイサイズ情報Ｂに基づいて変倍率を求め、受信した電子メールデータを自機の表示部５２に表示する。【選択図】      図１
2006092425.tif 000002
【特許請求の範囲】
【請求項１】
電子メールデータを表示する第１のディスプレイを有し、かつ、この第１のディスプレイのサイズを示す第１のサイズ情報を記憶する第１の移動通信端末が、前記第１のディスプレイに表示された少なくとも１の画像を含む電子メールデータに前記第１のサイズ情報を含めて送信する過程と、
電子メールデータを表示する第２のディスプレイを有し、かつ、この第２のディスプレイのサイズを示す第２のサイズ情報を記憶する第２の移動通信端末が、前記第１の移動通信端末から送信された電子メールデータを受信する過程と、
前記第２の移動通信端末において、前記第１のサイズ情報と前記第２のサイズ情報から求められる比率に基づいて前記少なくとも１の画像に対してサイズ変更処理を施す過程と
を有することを特徴とする方法。
【請求項２】
前記第１および第２のサイズ情報は各々第１および第２のディスプレイの横幅を示す情報であることを特徴とする請求項１に記載の方法。
【請求項３】
前記第１および第２のサイズ情報は各々第１および第２のディスプレイの横幅および縦幅を示す情報であることを特徴とする請求項１に記載の方法。
【請求項４】
前記少なくとも１の画像に対してサイズ変更処理を施す過程は、各々が前記縦幅を示す第１のサイズ情報と第２のサイズ情報の縦幅比率を求め、各々が前記横幅を示す第１のサイズ情報と第２のサイズ情報の横幅比率を求め、前記縦幅比率および前記横幅比率のいずれか小さい比率に基づいてサイズ変更処理を施す過程を含む
ことを特徴とする請求項３に記載の方法。
【請求項５】
前記電子メールデータは前記少なくとも１の画像の表示位置を示す配置情報を含み、
前記サイズ変更処理を施す過程の後、サイズ変更された前記少なくとも１の画像を前記配置情報に従って配置する過程をさらに有する
ことを特徴とする請求項１に記載の方法。
【請求項６】
前記電子メールデータに少なくとも１の文字列が含まれている場合に、前記第１のサイズ情報と前記第２のサイズ情報から求められる前記比率に基づいて、当該文字列に対してサイズ変更処理を施す過程をさらに有する
ことを特徴とする請求項１に記載の方法。
【請求項７】
前記第２の移動通信端末が複数種類の文字サイズに対応した複数組の文字データを記憶する場合に、
前記文字列に対してサイズ変更処理を施す過程は、前記複数種類の文字サイズのうち、前記電子メールデータによって指定される文字列の文字サイズに前記比率を適用させることにより求められた変更後文字サイズとの最近似値を有する１の文字サイズを選択し、前記文字列の文字サイズを当該選択された１の文字サイズに変更する過程を含む
ことを特徴とする請求項６に記載の方法。
【請求項８】
電子メールデータを表示するためのディスプレイと、
前記ディスプレイのサイズを示すサイズ情報を記憶する記憶手段と、
前記ディスプレイに表示された電子メールデータを他の移動通信端末に対して送信する際に、前記サイズ情報を前記記憶手段から読み出し、前記電子メールデータに含めて送信する送信手段と
を有することを特徴とする移動通信端末。
【請求項９】
他の移動通信端末から、少なくとも１の画像データと、当該他の移動通信端末が有するディスプレイのサイズを示す第１のサイズ情報とを含む電子メールデータを受信する受信手段と、
電子メールデータを表示するためのディスプレイと、
前記ディスプレイのサイズを示す第２のサイズ情報を記憶する記憶手段と、
前記第１のサイズ情報と前記第２のサイズ情報から求められる比率に基づいて前記少なくとも１の画像データによって描画される画像のサイズ変更処理を行う画像調整手段と
を有することを特徴とする移動通信端末。
【請求項１０】
前記受信手段により受信された電子メールデータに前記少なくとも１の画像データによって描画される画像の表示位置を示す配置情報が含まれている場合に、
前記画像調整手段によってサイズ変更処理が施された前記少なくとも１の画像を、前記配置情報に従って配置する配置手段をさらに有する
ことを特徴とする請求項９に記載の移動通信端末。
【請求項１１】
当該移動通信端末が複数種類の文字サイズに対応した複数組の文字データを記憶する第２の記憶手段を有している場合に、
前記電子メールデータに少なくとも１の文字列が含まれている場合に、前記複数種類の文字サイズのうち、前記電子メールデータによって指定される前記少なくとも１の文字列の文字サイズに前記比率を適用することにより求められた変更後文字サイズとの最近似値を有する１の文字サイズを選択し、前記少なくとも１の文字列の文字サイズを当該選択された１の文字サイズに変更する文字調整手段をさらに有する
ことを特徴とする請求項９に記載の移動通信端末。
【発明の詳細な説明】
【技術分野】
【０００１】
本発明は、移動通信端末およびその表示調整方法に関する。
【背景技術】
【０００２】
近年、移動通信端末のユーザが画像付き電子メールを他の移動通信端末に送ることを可能にするサービスが広く普及している。このようなサービスに用いられる端末は、複数種類の文字サイズや文字色、写真やイラストなどの画像を用いてメッセージを作成する機能を有するので、この機能を用いて作成されたメッセージを誕生日祝や結婚祝などの所謂グリーティングカードとしても送ることができ、送信側端末のユーザの気持ちを多様な形で表現し他の端末のユーザに伝えることが可能になる。
しかしながら、受信側端末が有するディスプレイの表示領域サイズは送信側のそれと必ずしも同一でなく、その結果、メッセージを構成する文字や画像が受信側端末の画面からはみ出してしまうという問題があった。
【特許文献１】特開２００２−１４９１５２号公報
【特許文献２】特開平１０−１６２００２号公報
【発明の開示】
【発明が解決しようとする課題】
【０００３】
上記問題を解決するために、特許文献１は、画像を表示画面に表示させる際に、画像の縦幅サイズおよび横幅サイズに関する情報を取得し、画面の縦方向もしくは横方向の少なくともいずれか一方の表示可能サイズに一致もしくはほぼ一致するように変倍率（拡大率または縮小率）を求め、画像サイズを調整する画像表示装置を提案している。また、特許文献２は、インターネットを介してダウンロードされるハイパーテキストのデータを、表示画面の横方向サイズに合わせて画像や文字のサイズ調整を行うと同時に、表示位置の修正も行う手段を有するインターネットブラウジング装置を提案している。
【０００４】
ところが、特許文献１および特許文献２で提案されている技術を用いて画像または文字のサイズや位置の調整処理を行ったとしても、処理後の表示状態が電子メールデータの作成者が送信前に視認した最終的なデータの表示状態に必ずしも一致していなかった。つまり、送信側の端末では、例えば、画面の横方向３分の２のサイズで表示されていた画像が、送信側端末より小さな表示領域を有する他の端末で受信され表示された場合に、その端末のディスプレイからはみ出さないように縮小されてしまうのでディスプレイの横幅いっぱいに表示されてしまう。
【０００５】
本発明は上述の事情を鑑みてなされたものであり、その目的は、少なくとも１の画像を含む電子メールを表示した際に、ディスプレイと、表示される画像の比率が、当該電子メールの送信側端末と受信側端末間で同じ比率に保たれるようにする技術を提供することにある。
【課題を解決するための手段】
【０００６】
上記課題を解決するために、本発明は、電子メールデータを表示する第１のディスプレイを有し、かつ、この第１のディスプレイのサイズを示す第１のサイズ情報を記憶する第１の移動通信端末が、前記第１のディスプレイに表示された少なくとも１の画像を含む電子メールデータに前記第１のサイズ情報を含めて送信する過程と、電子メールデータを表示する第２のディスプレイを有し、かつ、この第２のディスプレイのサイズを示す第２のサイズ情報を記憶する第２の移動通信端末が、前記第１の移動通信端末から送信された電子メールデータを受信する過程と、前記第２の移動通信端末において前記第１のサイズ情報と前記第２のサイズ情報から求められる比率に基づいて前記少なくとも１の画像に対してサイズ変更処理を施す過程とを有することを特徴とする方法を提供する。好ましくは、前記第１および第２のサイズ情報は各々第１および第２のディスプレイの横幅を示す情報である。あるいは、前記第１および第２のサイズ情報は各々第１および第２のディスプレイの横幅および縦幅を示す情報であってもよい。この場合、前記少なくとも１の画像に対してサイズ変更処理を施す過程は、各々が前記縦幅を示す第１のサイズ情報と第２のサイズ情報の縦幅比率を求め、各々が前記横幅を示す第１のサイズ情報と第２のサイズ情報の横幅比率を求め、前記縦幅比率および前記横幅比率のいずれか小さい比率に基づいてサイズ変更処理を施す過程を含むようにしてもよい。
【０００７】
別の好ましい態様において、上記方法は、前記電子メールデータは前記少なくとも１の画像の表示位置を示す配置情報を含み、前記サイズ変更処理を施す過程の後、サイズ変更された前記少なくとも１の画像を前記配置情報に従って配置する過程をさらに有する。
さらに別の好ましい態様において、上記方法は、前記電子メールデータに少なくとも１の文字列が含まれている場合に、前記第１のサイズ情報と前記第２のサイズ情報から求められる前記比率に基づいて、当該文字列に対してサイズ変更処理を施す過程をさらに有する。好ましくは、前記第２の移動通信端末が複数種類の文字サイズに対応した複数組の文字データを記憶する場合に、前記文字列に対してサイズ変更処理を施す過程は、前記複数種類の文字サイズのうち、前記電子メールデータによって指定される文字列の文字サイズに前記比率を適用させることにより求められた変更後文字サイズとの最近似値を有する１の文字サイズを選択し、前記文字列の文字サイズを当該選択された１の文字サイズに変更する過程を含むようにしてもよい。
【０００８】
上述の課題を解決するために、本発明は、電子メールデータを表示するためのディスプレイと、前記ディスプレイのサイズを示すサイズ情報を記憶する記憶手段と、前記ディスプレイに表示された電子メールデータを他の移動通信端末に対して送信する際に、前記サイズ情報を前記記憶手段から読み出し、前記電子メールデータに含めて送信する送信手段とを有することを特徴とする移動通信端末を提供する。
【０００９】
加えて、本発明は、他の移動通信端末から、少なくとも１の画像データと、当該他の移動通信端末が有するディスプレイのサイズを示す第１のサイズ情報とを含む電子メールデータを受信する受信手段と、電子メールデータを表示するためのディスプレイと、前記ディスプレイのサイズを示す第２のサイズ情報を記憶する記憶手段と、前記第１のサイズ情報と前記第２のサイズ情報から求められる比率に基づいて前記少なくとも１の画像データによって描画される画像のサイズ変更処理を行う画像調整手段とを有することを特徴とする移動通信端末を提供する。
【００１０】
好ましい態様において、上記移動通信端末は、前記受信手段により受信された電子メールデータに前記少なくとも１の画像データによって描画される画像の表示位置を示す配置情報が含まれている場合に、前記画像調整手段によってサイズ変更処理が施された前記少なくとも１の画像を、前記配置情報に従って配置する配置手段をさらに有するようにしてもよい。
【００１１】
別の好ましい態様において、上記移動通信端末は、当該移動通信端末が複数種類の文字サイズに対応した複数組の文字データを記憶する第２の記憶手段を有しており、前記電子メールデータに少なくとも１の文字列が含まれている場合に、前記複数種類の文字サイズのうち、前記電子メールデータによって指定される前記少なくとも１の文字列の文字サイズに前記比率を適用することにより求められた変更後文字サイズとの最近似値を有する１の文字サイズを選択し、前記少なくとも１の文字列の文字サイズを当該選択された１の文字サイズに変更する文字調整手段をさらに有するようにしてもよい。
【発明の効果】
【００１２】
本発明によれば、移動通信端末において、他の移動通信端末から、少なくとも１の画像を内包する電子メールデータを受信した場合において、表示画面と画像の比率を送信側端末と同じ比率に保ったまま画像のサイズおよび位置の調整処理を行うことが可能になる。また、電子メールデータに文字が含まれている場合にも同様の調整処理が可能になる。これにより、送信側端末のユーザが作成したメッセージを最後に視認した状態と同一の状態が受信側端末で再現されるので、送信側端末のユーザのメッセージを受信側端末のユーザに確実に伝えることが可能となる。
【発明を実施するための最良の形態】
【００１３】
（第１実施形態）
以下、図面を参照しつつ、本発明の第１実施形態に係る電子メールシステムについて説明する。
図１は電子メールシステムの全体構成を示す図である。図１において、このシステムは、インターネット１０に接続された通信端末２０と、ゲートウェイ３０を介してインターネット１０に接続された移動通信網４０と、移動通信網４０に収容される移動通信端末５０Ａ、５０Ｂを有する。
通信端末２０は、例えば、パーソナルコンピュータであり、周知のドローイングソフトを利用して画像を描画するか、インターネット１０を介してデータソースから画像データを取得し、その画像と本文を適宜レイアウトして電子メールを作成する機能を有している。通信端末２０は、このように作成した電子メールを、インターネット１０上のメールサーバ（図示略）を介して他の通信装置に送信することが可能である。
【００１４】
ゲートウェイ３０は、インターネット１０が従う通信プロトコルと、移動通信網４０が従う通信プロトコルを相互に変換する機能を有している。この機能により、ゲートウェイ３０は、インターネット１０を介して通信を行う通信端末２０と移動通信網４０に属する移動通信端末５０Ａ、５０Ｂとの間で行われる通信を仲介する。
移動通信網４０は、その通信サービスエリア内に多数設置された基地局（図示略）と基地局を統括する複数の交換局（図示略）などを含む。移動通信網４０は、基地局がカバーする無線エリアに在圏する移動通信端末５０Ａ、５０Ｂに対して無線通信サービスを提供する。
【００１５】
移動通信端末５０Ａ、５０Ｂは移動通信網４０に収容され、自機が在圏するエリアをカバーする基地局を介して無線通信を行う。移動通信端末５０Ａ、５０Ｂは各々、通話機能、ブラウザ機能、データ通信機能等を有し、これら各種機能を用いて作成した電子メールを、移動通信網４０を介して通信端末または他の移動通信端末に送信することが可能である。以下、移動通信端末５０Ａ、５０Ｂを特に区別する必要がない限り、移動通信端末５０と総称する。
【００１６】
以下、移動通信端末５０についてさらに詳細に説明する。図２に示すように、移動通信端末５０は、操作部５１、表示部５２、無線通信部５３、揮発性メモリ５４ａと不揮発性メモリ５４ｂから成るメモリ５４、制御部５５と、これら各要素を相互に接続するバス５６を有している。
操作部５１はユーザによる指示入力を可能にし、指示入力の内容に応じたデータを制御部５５に引き渡す。また、操作部５１が有する１操作子により、表示部５２に表示されたデータを表示部５２の縦幅方向にスクロールすることが可能である。
【００１７】
表示部５２は、例えば、ＬＣＤ（Liquid Crystal Display）と、制御部５５から引き渡されたデータに応じてＬＣＤを駆動し、ＬＣＤに画像を表示させる駆動回路とにより構成されている。この表示部５２が有する表示領域のサイズは機種によって異なる。各移動通信端末の不揮発性メモリ５４ｂには、自機の表示領域が有する縦幅と横幅を示すデータ（以下、ディスプレイサイズ情報）が、例えば工場出荷時に予め書き込まれる。
無線通信部５３は、当該移動通信端末５０が在圏する図示しない基地局に対してデータを送出するか、または基地局から送信されるデータを受け付ける。
制御部５５は、例えば、ＣＰＵ（Central Processing Unit）であり、メモリ５４に記憶されているソフトウェアを実行することにより、各種機能を実現する。
【００１８】
メモリ５４における揮発性メモリ５４ａは、例えば、ＲＡＭ（Random Access Memory）であり、制御部５５がソフトウェアを実行する際のワークエリアとして用いられる。
不揮発性メモリ５４ｂは、例えば、フラッシュメモリであり、各種ソフトウェアに加え、移動通信端末５０が送受信した電子メールデータ、端末ＩＤや上記ディスプレイサイズ情報など当該端末に固有のプロパティ情報、通信先の端末についての各種情報を記憶するアドレス帳などを記憶している。例えば、ユーザによる新規電子メールの作成や編集を可能にし、移動通信端末２０または他の移動通信端末５０と電子メールの送受信を行うためのメーラアプリケーションはこの不揮発性メモリ５４ｂに記憶されている。このメーラアプリションは、同様に不揮発性メモリ５４ｂに記憶されプラグインとして動作する表示調整アプリケーションと共に制御部５５によって読み出され順次実行されることにより本実施形態に固有の機能を実現する。
【００１９】
その他、ＯＳ（Operating System）ソフトウェア、通話機能を実現する通話アプリケーション、電子メールに添付される画像データの生成を可能にするドローイングアプリケーション、ＨＴＭＬデータなどデータソースからダウンロードされるデータを取得しユーザによる閲覧を可能にするブラウザアプリケーションなど、各種ソフトウェアがこの不揮発性メモリ５４ｂに記憶されている。
さらに、不揮発性メモリ５４ｂには、上記ドローイングアプリケーションを用いて描画された画像、データソースからインターネット１０を介してダウンロードされた画像、他の通信端末から送信された画像、あるいは自機が写真撮影機能を有する場合にはその撮影画像などが保存されている。
【００２０】
図３は不揮発性メモリ５４ｂに記憶される電子メールデータの構造例を示す図である。図示のように、電子メールデータは、送信先アドレス記述部、送信元アドレス記述部、ディスプレイサイズ情報記述部を含むヘッダと、本文データ記述部、さらに本文データに埋め込まれている画像などの添付ファイルを含む添付ファイル記述部とから成る。
ディスプレイサイズ情報記述部には、当該電子メールの送信元の通信端末が有する表示領域の横幅を示すデータもしくは横幅および縦幅の各々を示すデータが記述される。
【００２１】
本文データ記述部には、メールの文章を構成するテキストデータが１センテンス毎にＨＴＭＬ（Hypertext Markup Language）タグと関連付けられて記述されている。各ＨＴＭＬタグには、対応するセンテンスを構成する文字のフォントサイズや文字色を指定する情報ならびに各センテンスの配置を定義する情報（左寄せ、センタリング、右寄せ等）がさらに関連付けられている。また、電子メールが画像を含む場合、添付された画像のデータを識別する情報がＨＴＭＬタグと関連付けられてこの本文データ記述部に記述される。
【００２２】
添付ファイルデータ記述部には、電子メールに添付される画像のデータが記述されている。これら画像データの各々はＧＩＦ（Graphic Interchange Format）形式で記述されており、ビットマップを形成する各ピクセル毎の制御情報の他に、各画像の縦幅および横幅を示す画像サイズデータを内包している。
【００２３】
次に、本実施形態に係る電子メール送信処理（図４）および電子メール表示調整処理（図６）について説明する。本実施形態において、移動通信端末５０Ａは自機で作成した、図５の左側に示すような電子メールデータを移動通信端末５０Ｂに対して送信する場合を想定する。説明の便宜上、移動通信端末５０Ａの表示部５２は横幅２４０ピクセルの表示領域を有し、移動通信端末５０Ｂの表示部５２は横幅１４４ピクセルの表示領域を有すると仮定する。
【００２４】
尚、表示部５２が有する表示領域の横幅はこれに限られず、移動通信端末５０が通常有するであろう表示領域の横幅を示す任意の値をとりうる。本実施形態では、移動通信端末５０Ａが有する表示領域の横幅が移動通信端末５０Ｂのそれより大きい場合を想定したが、これとは逆に、移動通信端末５０Ｂの方が大きな表示領域を有する場合であってもよいことは勿論である。
【００２５】
図４は、移動通信端末５０Ａの制御部５５によって実行される電子メール送信処理を示すフローチャートである。ユーザが電子メールの作成および送信のための操作を操作部５１に対して行うと、制御部５５は、不揮発性メモリ５４ｂからメーラアプリケーションを読み出して実行し、このメーラアプリケーションに従い、ユーザに提供可能な機能の一覧であるメニュー画面を表示部５２に表示する。続いて、ユーザが新規メール作成機能を選択すると、制御部５５は、メーラアプリケーションに従い、図４に示す電子メール送信処理を開始する。
【００２６】
まず、制御部５５は、ユーザによって行われる操作部５１の操作に従い、電子メールデータを作成し、電子メールの内容を表示部５２に表示する（ステップＳ１０１）。このステップにおいて、ユーザが操作部５１の操作により電子メールの本文を入力し、その本文のフォントサイズや文字色の選択、センタリングなどの文字の配置等の編集作業を行った場合、制御部５５は、その入力作業および編集作業に従い、電子メールデータの本文記述部を構成する。また、ユーザが操作部５１の操作により送信先アドレスを入力した場合には、その送信先アドレスを電子メールデータの送信元アドレス記述部に書き込む。さらに、ユーザが所望の画像を選択し電子メールに埋め込む操作をした場合には、該当する画像データを不揮発性メモリ５４ｂから読み出し、電子メールデータの添付ファイル記述部に格納する。ユーザは、これら画像についても、センタリング等の配置処理を行うことができる。
本実施形態では、このステップＳ１０１において図５の左側に示すような電子メールが作成されたとする。図示のように、この電子メールでは、画像Ａ、Ｂ、Ｃが各々左寄せ、センタリング、右寄せで配置されている。
【００２７】
ユーザは、表示部５２において当該電子メールの表示状態を視認した後、当該電子メールの宛先（本実施形態では、移動通信端末５０Ｂのアドレス）を入力し、図示せぬ送信ボタンを押下げする。
次に、ステップＳ１０３において、制御部５５はユーザからのメール送信指示を受け付ける。この送信指示を受け付けた制御部５５は、ステップＳ１０５において、不揮発性メモリ５４ｂに記憶されているディスプレイサイズ情報を読み出す。このディスプレイサイズ情報は移動通信端末５０Ａが有する表示領域の横幅（２４０ピクセル）を示す情報であり、以降、説明の便宜上、「ディスプレイサイズ情報Ａ」と呼ぶ。
【００２８】
続いて、制御部５５は、ディスプレイサイズ情報Ａを電子メールのヘッダにおけるディスプレイサイズ情報記述部に書き込み、かつ、自機のメールアドレスを送信元アドレスとして電子メールデータに書き込んだ（ステップＳ１０７）後、無線通信部５３を介して当該電子メールを送信する（ステップＳ１０９）。
移動通信端末５０Ｂは、移動通信網４０を介して移動通信端末５０Ａから送信された電子メールを受信する。移動通信端末５０Ｂの制御部５５は、当該電子メールの受信をユーザに通知すると共に、電子メールデータを不揮発性メモリ５４ｂに保存する。
【００２９】
図６は、本実施形態に係る電子メール表示調整処理を示すフローチャートである。
電子メールの閲覧を指示する操作がユーザにより行われると、移動通信端末５０Ｂの制御部５５は不揮発性メモリ５４ｂから閲覧が指示された電子メールデータを読み出す。この後、制御部５５は図６に示す電子メール表示調整処理を開始する。
ステップＳ２０１において、まず、制御部５５は、読み出した電子メールデータのディスプレイサイズ情報記述部を参照し、移動通信端末５０Ａのディスプレイサイズ情報Ａ（２４０ピクセル）を読み出す。次いで、制御部５５は、自機の不揮発性メモリ５４ｂに格納されているディスプレイサイズ情報（以下、「ディスプレイサイズ情報Ｂ」）を読み出す（ステップＳ２０３）。本実施形態では、移動通信端末５０Ｂのディスプレイサイズは１４４ピクセルである。
【００３０】
次に、制御部５５は、ディスプレイサイズ情報Ｂのディスプレイサイズ情報Ａに対する比率を算出する（ステップＳ２０５）。この結果、本実施形態では変倍率１４４／２４０が求められる。
ステップＳ２０７において、制御部５５は本文データ記述部を参照して本文データのレイアウトを決定した後、各ＨＴＭＬタグに関連付けられているセンテンスを所定の位置に配置する。その後、ルーチンはステップＳ２０９に移行する。
次いで、制御部５５は添付ファイルデータ記述部を参照し添付されている画像Ａ、Ｂ、Ｃのデータを読み出し（ステップＳ２０９）、各画像の縦横比を特定する（ステップＳ２１１）。その後、特定された縦横比を維持したまま、上記ステップＳ２０５において求められた変倍率１４４／２４０を各画像Ａ、Ｂ、Ｃに適用させることによりサイズ変更処理を施した後画像ａ、ｂ、ｃを生成する（ステップＳ２１３）。
【００３１】
次にステップＳ２１５において、本文データ記述部においてサイズ変更処理前の各画像Ａ、Ｂ、Ｃに関連付けられているＨＴＭＬデータが参照されることにより、各画像の配置処理が行われる。具体的には、画像ａは左寄せ、画像ｂはセンタリング、画像ｃは右寄せで配置され、その結果、図５の右側に示すように、電子メールが好適なサイズおよび配置において表示（ステップＳ２１７）され、図６の電子メール表示処理が終了する。
【００３２】
以上説明した実施形態によると、移動通信端末５０Ａで画像を含む電子メールが作成された後移動通信端末５０Ｂに対して送信指示が行われると、移動通信端末５０Ａのディスプレイサイズ情報が自動的に付加され電子メールデータの一部として送信されるようになっている。このため、電子メールを受信した移動通信端末５０Ｂは、電子メールの作成者端末である移動通信端末５０Ａのディスプレイサイズと自機のディスプレイサイズに基づいて変倍率を求め、当該電子メールに添付されている画像を、表示画面と画像の比率を移動通信端末５０Ａにおける比率と同一に保ったまま表示させることが可能になる。その結果、送信側端末のユーザが送信指示直前に視認した状態とほぼ同じ状態で受信側端末の表示部に電子メールを表示することが可能になる。
【００３３】
尚、電子メールの送信側端末と受信側端末で表示領域の縦幅と横幅の比率が異なる場合、表示領域の横幅を示すディスプレイ情報を用いた画像のサイズ変更処理を施したとしても、電子メールの下部が画面からはみ出してしまうといった事態が考えられる。このような場合、表示部の縦幅方向に画面をスクロールさせるというきわめて容易な操作をユーザが行うことによって、横幅方向に好適なサイズでレイアウトされた電子メールを閲覧することが可能になる。
また、本実施形態では送信側端末および受信側端末の表示領域の横幅を示すディスプレイサイズ情報に基づいて画像のサイズ変更処理を行ったが、横幅縦幅の各々について変倍率を求めそのうちいずれか小さい方の変倍率を用いてサイズ変更処理を行うようにすればユーザが画面をスクロールさせる必要がなくなり、電子メール全体がひと目で閲覧可能になる。
【００３４】
(第２実施形態)
上記第１実施形態では画像のサイズ変更処理を行っていたが、本実施形態では画像のサイズ変更処理に加えて文字のサイズ変更処理も行う場合について説明する。尚、本実施形態において上記第１実施形態と共通する部分については同一の参照符号を用い、その説明も省略する。
【００３５】
本実施形態に係る移動通信端末５０が上記第１実施形態に係る移動通信端末５０と異なる点は、不揮発性メモリ５４ｂに複数種類のフォントサイズに対応した文字データを記憶している点である。具体的には、本実施形態に係る移動通信端末５０には、７、９、１２、１４、１８ポイントの５種類のフォントサイズがビットマップフォントデータとして記憶されている。移動通信端末５０Ａと移動通信端末５０Ｂのディスプレイサイズ情報に基づいて変倍率が決定されたのち、その変倍率に一致するか最も近い値を有するフォントサイズを選択し、文字のサイズを変更することが可能になる。
【００３６】
例えば、図５の例において、"Dear Ken"と"Lisa"はいずれも１２ポイントのフォントサイズで記述されており、"Happy Birthday!"は１８ポイントのフォントサイズで記述されているとする。第１実施形態の処理により求められた変倍率は１４４／２００（＝６０％の縮小率）なので"Dear Ken"と"Lisa"については１２×６０％＝７．２ポイント、"Happy Birthday!"については１８×６０％＝１０．８ポイントが求められ、移動通信端末５０Ａが記憶している複数種類のフォントサイズの中から最近似値に相当するフォントサイズが選択される。図５の例においては、"Dear Ken"と"Lisa"については７ポイント、"Happy Birthday!"については１２ポイントのフォントサイズが選択され、各々の文字列が選択されたサイズで表示される。
【００３７】
このようにしてサイズ変更が施された文字は図６のＳ２０７において、制御部５５によって本文データのレイアウトが決定された後、各ＨＴＭＬタグに関連付けられている位置に従って各々配置される。具体的には、図５において、"Dear Ken"は左寄せで配置され、"Happy Birthday!"はセンタリング、"Lisa"は右寄せで配置される。その結果、受信側端末である移動通信端末５０Ｂの表示画面には、電子メールの作成者端末である移動通信端末５０Ａの表示画面に表示されていた状態と同一の状態で画像および文字間のバランスが保たれた電子メールメッセージが表示される。
【００３８】
尚、移動通信端末５０が保持しているフォントサイズの種類は上記５種類に限られず任意に変更可能である。例えば、「極小」「小」「やや小」「中」「大」「特大」「極大」など、ユーザにとって認識が容易な呼称に対応付けられたフォントサイズに基づいて本実施形態に係る文字サイズの変更処理を行うようにしてもよい。これにより、例えば、受信側端末のユーザが「極小」に縮小された文字の視認が難しいと感じた場合にはフォントサイズを「小」に適宜変更することにより視認性を向上させることが可能になる。
【００３９】
（変形例）
以上、本発明の実施形態について説明したが、本発明は斯かる実施形態に限定されるものではなく、例えば、以下のように変形することが考えられる。
（変形例１）
上記第１実施形態においては、送信側端末のディスプレイサイズ情報と受信側端末のディスプレイサイズ情報から求められる変倍率に基づいて画像サイズの変更を行っていた。
しかしながら、上記変倍率に基づいてサイズ変更処理を行うことにより画像の視認性が著しく低下する場合が考えられる。例えば、図５における画像Ｃが例えばイニシャルや印のような小さな文字を含む画像データである場合、変倍率１４４／２００（＝６０％の縮小率）を用いて画像Ｃを縮小してしまうと画像に含まれている文字が認識不能になってしまう恐れがある。
【００４０】
このような場合、オリジナルの画像サイズが一定のサイズを下回る画像を縮小する場合には送信側端末のディスプレイサイズ情報と受信側端末のディスプレイサイズ情報から求められた変倍率をそのまま適用させるのではなく、一律に例えば４／５の縮小率を適用するような構成としてもよい。
同様に文字データについても、一定のサイズを下回る文字については例えば４／５の縮小率を適用するような構成としてもよい。
これにより、移動通信端末の限られた表示領域においても視認性を確保しつつ電子メールメッセージを送信側端末における表示状態になるべく近い形で表示することが可能になる。
【００４１】
（変形例２）
上記実施形態では、移動通信端末５０が、メールクライアント機能を備えた携帯電話機である場合について説明したが、メールクライアント機能を備えたＰＨＳ（Personal Handyphone System：登録商標）やメールクライアント機能を備えたＰＤＡ（Personal Digital Assistance）、メールクライアント機能を備えたモバイル型ＰＣなどであってもよい。この移動通信端末は、通話機能、データ通信機能、縦スクロール機能の１以上を有する。
また、本発明に係る移動通信端末５０は、上記実施形態で説明したような、移動通信網４０に収容されている移動通信端末５０に限られず、画像修正アプリケーションを実装してさえいれば、他の通信網に収容される端末であってもよい。
【００４２】
（その他の変形例）
上記実施形態において、表示調整アプリケーションは、予め不揮発性メモリ５４ｂに記憶されているものとして説明したが、かかるアプリケーションをＪａｖａ（登録商標）プログラミング言語によって記述したものをネットワーク上のサーバ装置に記憶し、該アプリケーションがこのサーバ装置に対する各移動通信端末５０の要求に応じて適宜配信され、移動通信端末５０のＪａｖａ仮想マシーン上で実行されるようにしてもよい。
【００４３】
上記実施形態において、「ディスプレイ」は、例えば、電子ディスプレイ（ＬＣＤに限られない）および光ディスプレイ（投影画像に限られない）など広義に解釈されるべきである。
【００４４】
上記実施形態における画像データは、ＧＩＦ形式で記述されているものとして説明したが、例えばＪＰＥＧ（Joint Photographic Experts Group）といったような他の形式で記述されたものであってもよい。
【図面の簡単な説明】
【００４５】
【図１】第１実施形態に係る、電子メールシステムの全体構成図である。
【図２】移動通信端末のハードウェア構成を示すブロック図である。
【図３】電子メールデータのデータ構造図である。
【図４】第１実施形態の動作を示すフローチャートである。
【図５】第１実施形態に係る、電子メールデータを移動通信端末が表示する様子を示す図である。
【図６】第１実施形態の動作を示すフローチャートである。
【符号の説明】
【００４６】
１０…インターネット、２０…通信端末、３０…ゲートウェイ、４０…移動通信網、５０…移動通信端末、５１…操作部、５２…表示部、５３…無線通信部、５４…記憶部、５５…制御部、５６…バス
【図１】
2006092425.tif 000003
【図２】
2006092425.tif 000004
【図３】
2006092425.tif 000005
【図４】
2006092425.tif 000006
【図５】
2006092425.tif 000007
【図６】
2006092425.tif 000008